(57)【要約】【課題】光ピックアップで発生する熱を効率良く放熱して温度上昇を抑えることにより記録品質を向上させることができる光ディスク記録・再生装置を提供する。【解決手段】光ディスクを回転させるターンテーブル３に対して光ピックアップ１をガイド軸２ａ，２ｂに沿って接近・離反するように搭載した光ディスク記録・再生装置において、少なくとも一本のガイド軸２ｂに放熱体９を設けた構成とする。放熱体９によって放熱面積が増大し、光ピックアップ１で発生した熱はガイド軸２ｂを伝って放熱体９の表面から効率良く放熱されるので、高倍速で記録する場合でも温度上昇を抑えて記録品質を向上させることができる。放熱体９として両端の開口した空洞９ａを備えた金属製の中空板状体をガイド軸２ｂに形成すると、放熱効率が更に良くなって記録品質を大幅に向上させることができる。【選択図】図２
2007184059.tif 000002
【特許請求の範囲】
【請求項１】
光ディスクを回転させるターンテーブルに対して光ピックアップをガイド軸に沿って接近・離反するように搭載した光ディスク記録・再生装置において、両端の開口した空洞を内部に備えた金属製の中空板状体よりなる放熱体を、少なくとも一本のガイド軸から光ピックアップと反対側に突出させて一体に形成したことを特徴とする光ディスク記録・再生装置。
【請求項２】
光ディスクを回転させるターンテーブルに対して光ピックアップをガイド軸に沿って接近・離反するように搭載した光ディスク記録・再生装置において、少なくとも一本のガイド軸に放熱体を設けたことを特徴とする光ディスク記録・再生装置。
【請求項３】
放熱体が、ガイド軸と一体に形成された金属製の板状体であることを特徴とする請求項２に記載の光ディスク記録・再生装置。
【請求項４】
板状体が、両端の開口した空洞を内部に備えた中空板状体であることを特徴とする請求項３に記載の光ディスク記録・再生装置。
【発明の詳細な説明】
【技術分野】
【０００１】
本発明は光ディスク記録・再生装置に関し、特に、高倍速で記録する際に温度の上昇を抑えて記録品質を向上させることができる光ディスク記録・再生装置に関する。
【背景技術】
【０００２】
周知のように、光ディスク記録・再生装置は、ローダーで送り込まれた光ディスクをクランパーとターンテーブルで保持しながら回転させ、ガイド軸に沿ってターンテーブルの方に移動する光ピックアップからレーザービームを光ディスクに照射して記録又は再生を行うものである。
【０００３】
しかしながら、従来の光ディスク記録・再生装置は充分な放熱対策が施されていないため、光ピックアップのレーザーダイオードの出力を上げて高倍速で記録すると、光ピックアップの発熱量が多くなって温度が上昇し、記録品質が低下したり、記録ができなくなったりする等の問題があった。
【０００４】
このような問題に対処するため、光ピックアップの上面に放熱板を取付け、発生した熱をこの放熱板から軸受を介してガイド軸に伝導させて放熱するように構成した光ディスク記録・再生装置が提案されている（特許文献１）。また、光ピックアップの側面にコ字形の放熱板を取付け、この放熱板の３片でガイド軸を取り囲むことによって、熱をガイド軸に伝導させて放熱するように構成したものも提案されている（特許文献２）。
【特許文献１】特開２００２−３２９２３号公報
【特許文献２】特開平８−３３５３２８号公報
【発明の開示】
【発明が解決しようとする課題】
【０００５】
特許文献１，２の光ディスク記録・再生装置はいずれも、光ピックアップで発生した熱をガイド軸に伝導させて放熱するものであるが、ガイド軸はその放熱面積（表面の面積）が小さいので放熱効率があまり良くなく、そのため記録品質を満足に向上させることが難しいという問題が依然として残されていた。
【０００６】
本発明は上記の事情の下になされたもので、光ピックアップで発生する熱を効率良く放熱して温度上昇を抑えることにより記録品質を向上させることができる光ディスク記録・再生装置を提供することを解決課題としている。
【課題を解決するための手段】
【０００７】
上記の課題を解決するため、本発明に係る光ディスク記録・再生装置は、光ディスクを回転させるターンテーブルに対して光ピックアップをガイド軸に沿って接近・離反するように搭載した光ディスク記録・再生装置において、少なくとも一本のガイド軸に放熱体を設けたことを特徴とするものである。
【０００８】
本発明の光ディスク記録・再生装置においては、その放熱体が、ガイド軸と一体に形成された金属製の板状体であることが好ましく、更に、この板状体が両端の開口した空洞を内部に備えた中空板状体であることが好ましい。
【０００９】
そして、本発明の一層具体化された好ましい光ディスク記録・再生装置は、光ディスクを回転させるターンテーブルに対して光ピックアップをガイド軸に沿って接近・離反するように搭載した光ディスク記録又は再生装置において、両端の開口した空洞を内部に備えた金属製の中空板状体よりなる放熱体を、少なくとも一本のガイド軸から光ピックアップと反対側に突出させて一体に形成したことを特徴とするものである。
【発明の効果】
【００１０】
本発明の光ディスク記録・再生装置のように、ガイド軸に放熱体を設けると、ガイド軸のみの場合に比べて放熱面積が大幅に増大するため、光ピックアップで発生した熱はガイド軸を伝って放熱体の表面から効率良く放熱される。従って、光ピックアップのレーザーダイオードの出力を上げて高倍速で記録する場合でも、温度上昇を抑えて記録品質を向上させることができる。
【００１１】
特に、放熱体が、ガイド軸と一体に形成された金属製の板状体であると、熱伝導率が良いため放熱効率が向上し、更に、この板状体が両端の開口した空洞を内部に備えた中空板状体であると、放熱面積が中実の板状体に比べて略２倍近く増大し、空気が空洞を流通して板状体の内外の両表面から放熱されるため、放熱効率が顕著に向上して記録品質を大幅に高めることが可能となる。そして、一層具体化された好ましい光ディスク記録・再生装置のように、金属製の中空板状体よりなる放熱体を、少なくとも一本のガイド軸から光ピックアップと反対側に突出させて一体に形成してあると、放熱体が光ピックアップの移動を妨げることがなく、また、放熱体の収まりが良いので組立作業に支障をきたすこともない。
【発明を実施するための最良の形態】
【００１２】
以下、図面を参照して本発明の具体的な実施形態を詳述する。
【００１３】
図１は本発明の一実施形態に係る光ディスク記録・再生装置の概略断面図、図２は同装置のドライブシャーシの平面図、図３は図２のＡ−Ａ線拡大断面図である。
【００１４】
この実施形態の光ディスク記録・再生装置は、図１、図２に示すように、光ピックアップ１と２本のガイド軸２ａ，２ｂとターンテーブル３を搭載したドライブシャーシ４と、ターンテーブル２の上方にクランパー５を保持するクランパー保持部６ａを設けたメインシャーシ６と、光ディスクを送り込むローダー７と、ドライブシャーシ４を上下に揺動させるスライド部材８等の主要部材から構成されたものであって、ドライブシャーシ４はその後部両側端の嵌合部４ａで上下揺動自在に嵌合枢着されてメインシャーシ４の内側に組み込まれ、ドライブシャーシ前端の突起４ｂがスライド部材８のカム溝に嵌挿されている。そして、ローダー７はドライブシャーシ４より上方でクランパー５の下側に配置され、前後摺動自在にメインシャーシ６に取付けられている。また、光ピックアップ１は、左右両側の金属製の軸受部１ａ，１ｂ，１ｂを介して、左右２本の金属製のガイド軸２ａ，２ｂ、即ち、主軸２ａと副軸２ｂに支持され、これらのガイド軸２ａ，２ｂに沿ってターンテーブルに対し接近・離反するようにマウントされている。尚、光ピックアップ１を移動させる駆動機構（不図示）は、ドライブシャーシ４の裏面側に設けられている。
【００１５】
この光ディスク記録・再生装置の大きい特徴は、右側の１本のガイド軸２ｂ、即ち、副軸２ｂに放熱体９を設けたところにある。この放熱体９は、図３に示すように、副軸２ｂと一体に形成された金属製の中空板状体からなるもので、その内部を空気が流通できるように両端の開口した空洞９ａが内部に形成されている。そして、この放熱体９は、光ピックアップ１の移動を妨げないように、且つ、ドライブシャーシ４上での収まりが良くなるように、副軸２ｂから光ピックアップ１と反対側に突き出して一体に形成されている。
【００１６】
上記の放熱体９は、放熱効率を高める観点からすれば、その長さと幅を大きく設定して放熱面積を広くすることが望ましいが、放熱体９の幅があまり大きくなり過ぎるとチルト調整が難しくなり、放熱体９の収まりも悪くなるので、放熱体９の幅は５〜２０ｍｍ程度、好ましくは１０〜１５ｍｍ程度に設定するのがよい。また、放熱体９の長さは、出来るだけ長く設定するのがよく、少なくとも光ピックアップ１の移動範囲よりも長く設定することが好ましい。尚、場合によっては、放熱体９を波形に褶曲させて放熱面積を更に増大させるようにしてもよい。
【００１７】
また、上記の放熱体９は双方のガイド軸２ａ，２ｂに設けてもよいが、このように双方のガイド軸に放熱体を設けると、光ピックアップ１が移動するときに揺れや振動が発生する恐れがあるので、片側のガイド軸のみに放熱体９を設けることが好ましい。
【００１８】
以上のような構成の光ディスク記録・再生装置は、光ディスクをローダー７に載せて装置内部へ送り込むと、スライド部材８がスライドしてドライブシャーシ４が上向きに回動し、クランパー５とターンテーブル３とで光ディスクが保持されて回転する。そして、光ピックアップ１がガイド軸２ａ，２ｂに沿ってターンテーブル３の方へ移動しながらレーザービームを光ディスクに照射し、記録又は再生が行われる。その場合、光ピックアップ１が熱を持ち、特に、レーザーダイオードの出力を上げて高倍速で記録する場合にはかなり発熱するが、この熱は軸受１ｂ，１ｂから右側のガイド軸（副軸）２ｂを通って放熱体９へすみやかに伝導し、その内外両表面から効率良く放熱される。従って、高倍速で記録する場合でも温度の上昇を充分抑えることができるので、記録品質を大幅に向上させることができる。
【図面の簡単な説明】
【００１９】
【図１】本発明の一実施形態に係る光ディスク記録・再生装置の概略断面図である。
【図２】同装置のドライブシャーシの平面図である。
【図３】図２のＡ−Ａ線拡大断面図である。
【符号の説明】
【００２０】
１    光ピックアップ
１ａ，１ｂ  軸受
２ａ  ガイド軸（主軸）
２ｂ  ガイド軸（副軸）
３    ターンテーブル
４    ドライブシャーシ
５    クランパー
６    メインシャーシ
７    ローダー
８    スライド部材
９    放熱体
９ａ  空洞．
【図１】
2007184059.tif 000003
【図２】
2007184059.tif 000004
【図３】
2007184059.tif 000005